(57)【特許請求の範囲】
【請求項１】
通信を要する予め定められた処理が対応付けられた広告を表示画面に表示する表示手段と、
表示している前記広告への選択操作を受け付ける選択手段と、
通信がオンラインかオフラインかを判定する判定手段と、
前記選択操作が受け付けられたときに前記オフラインの場合は、前記選択操作の対象となった広告を保留広告として広告記憶手段に記憶させる記録手段と、
前記オンラインになった場合に、記憶されている前記保留広告を再表示するものとして予め定められた表示画面に再表示する再表示手段と、
再表示された前記広告に対して再び選択操作が受け付けられるとその広告に基づく予め定められた処理を実行する実行手段と、
前記保留広告の表示態様を、保留広告として記憶される前の表示態様とは異なる表示態様に変更する手段と、
を備え、
前記保留広告について前記オンラインになる前に前記選択操作が再度あったときはその保留広告としての記憶をキャンセルする
ことを特徴とする携帯端末。
【請求項２】
前記表示手段と、前記選択手段と、前記判定手段と、前記記録手段と、をプログラムが実現し、そのプログラムは、前記記録手段が前記保留広告を前記広告記憶手段に記憶させたとき又はそれ以前に処理プロセスを生成し、その処理プロセスは、前記判定手段と、前記再表示手段と、前記実行手段と、を実現し、前記プログラムが終了されても存続するものであることを特徴とする請求項１記載の携帯端末。
【請求項３】
共通のサーバから前記広告を受信するプログラムであって、前記表示手段と、前記選択手段と、前記判定手段と、前記記録手段と、をそれぞれ実現する第１のプログラム及び第２のプログラムを備えた請求項１又は２記載の携帯端末であって、
前記第１のプログラムが実現する前記表示手段は、前記サーバから前記広告を受信して第１のプログラムの前記表示画面に表示し、
前記第２のプログラムの前記再表示手段は、第２のプログラムの表示画面に前記保留広告を再表示する
ことを特徴とする携帯端末。
【請求項４】
前記再表示された広告に基づく処理として、その広告に設定されているＵＲＬに基づくウェブページ表示と、前記ウェブページ表示とは異なる他の処理と、の選択を受け付ける処理選択手段を備え、
前記実行手段は、再表示された広告に対して前記処理選択手段により選択された処理を実行する
ことを特徴とする請求項１から３のいずれか一項に記載の携帯端末。
【請求項５】
通信を要する予め定められた処理が対応付けられた広告を表示画面に表示する表示処理と、
表示している前記広告への選択操作を受け付ける選択処理と、
通信がオンラインかオフラインかを判定する判定処理と、
前記選択操作が受け付けられたときに前記オフラインの場合は、前記選択操作の対象となった広告を保留広告として広告記憶手段に記憶させる記録処理と、
前記オンラインになった場合に、記憶されている前記保留広告を再表示するものとして予め定められた表示画面に再表示する再表示処理と、
再表示された前記広告に対して再び選択操作が受け付けられるとその広告に基づく予め定められた処理を実行する実行処理と、
前記保留広告の表示態様を、保留広告として記憶される前の表示態様とは異なる表示態様に変更する処理と、
前記保留広告について前記オンラインになる前に前記選択操作が再度あったときはその保留広告としての記憶をキャンセルする処理と、
をコンピュータが実行する
ことを特徴とする情報処理方法。
【請求項６】
携帯端末のコンピュータを制御することにより、
通信を要する予め定められた処理が対応付けられた広告を表示画面に表示させ、
表示している前記広告への選択操作を受け付けさせ、
通信がオンラインかオフラインかを判定させ、
前記選択操作が受け付けられたときに前記オフラインの場合は、前記選択操作の対象となった広告を保留広告として広告記憶手段に記憶させ、
前記オンラインになった場合に、記憶されている前記保留広告を再表示するものとして予め定められた表示画面に、前記保留広告として記憶される前の表示態様とは異なる表示態様で再表示させ、
再表示された前記広告に対して再び選択操作が受け付けられるとその広告に基づく予め定められた処理を実行させ、
前記保留広告について前記オンラインになる前に前記選択操作が再度あったときはその保留広告としての記憶をキャンセルする
ことを特徴とするコンピュータプログラム。
【発明の詳細な説明】
【技術分野】
【０００１】
本発明は、携帯端末における広告の表示に関する。
【背景技術】
【０００２】
スマートフォン（以下「スマホ」とも呼ぶ）等の携帯端末において、アプリケーションプログラム（以下「アプリ」とも呼ぶ）やブラウザがコンテンツを表示する表示画面に、バナーなどの広告がコンテンツと共に表示される場合がある。この種の広告は、特定のＵＲＬのウェブページへの遷移や、アプリのダウンロードなど、通信を伴う所定の処理が対応付けられている。
【０００３】
従来、このように画面表示された広告に対しタップなどの選択操作を行うと、携帯端末が電波通信圏内にあって外部との通信が可能な状態（「オンライン」と呼ぶ）では、リンク先ページへの遷移やアプリのダウンロードなど所定の処理が行われる。
【先行技術文献】
【特許文献】
【０００４】
【特許文献１】特開２００４−２９５６７８号
【発明の概要】
【発明が解決しようとする課題】
【０００５】
ところで、携帯端末が電波通信圏外であるなど外部との通信が不可能な状態（「オフライン」と呼ぶ）において、ウェブの表示や更新をエラーとする代りにオフライン専用の広告を表示する提案は存在する（例えば、特許文献１参照）。しかし、この技術では、表示されるのは固定された広告に限られる。すなわち、従来、オンライン時に受信又は表示した広告について、広告に対応する所定の処理を期待してユーザが選択操作を行っても、選択操作時にオフラインだった場合は広告に対応する処理が実行できないという問題があった。
【０００６】
本発明の目的は、選択操作がオフライン時に行われた広告に対応する処理を実行することである。
【課題を解決するための手段】
【０００７】
上記の目的をふまえ、本発明の一態様（１）の携帯端末は、通信を要する予め定められた処理が対応付けられた広告と、を表示画面に表示する表示手段と、表示している前記広告への選択操作を受け付ける選択手段と、通信がオンラインかオフラインかを判定する判定手段と、前記選択操作が受け付けられたときに前記オフラインの場合は、前記選択操作の対象となった広告を保留広告として広告記憶手段に記憶させる記録手段と、前記オンラインになった場合に、記憶されている前記保留広告を再表示するものとして予め定められた表示画面に再表示する再表示手段と、再表示された前記広告に対して再び選択操作が受け付けられるとその広告に基づく予め定められた処理を実行する実行手段と、を備えたことを特徴とする。
【０００８】
本発明の他の態様（６）である情報処理方法は、上記態様を方法のカテゴリで捉えたもので、通信を要する予め定められた処理が対応付けられた広告と、を表示画面に表示する表示処理と、表示している前記広告への選択操作を受け付ける選択処理と、通信がオンラインかオフラインかを判定する判定処理と、前記選択操作が受け付けられたときに前記オフラインの場合は、前記選択操作の対象となった広告を保留広告として広告記憶手段に記憶させる記録処理と、前記オンラインになった場合に、記憶されている前記保留広告を再表示するものとして予め定められた表示画面に再表示する再表示処理と、再表示された前記広告に対して再び選択操作が受け付けられるとその広告に基づく予め定められた処理を実行する実行処理と、をコンピュータが実行することを特徴とする。
【０００９】
本発明の他の態様（７）であるコンピュータプログラムは、上記態様をコンピュータプログラムのカテゴリで捉えたもので、携帯端末のコンピュータを制御することにより、通信を要する予め定められた処理が対応付けられた広告と、を表示画面に表示させ、表示している前記広告への選択操作を受け付けさせ、通信がオンラインかオフラインかを判定させ、前記選択操作が受け付けられたときに前記オフラインの場合は、前記選択操作の対象となった広告を保留広告として広告記憶手段に記憶させ、前記オンラインになった場合に、記憶されている前記保留広告を再表示するものとして予め定められた表示画面に再表示させ、再表示された前記広告に対して再び選択操作が受け付けられるとその広告に基づく予め定められた処理を実行させることを特徴とする。
【００１０】
本発明の他の態様（２）は、上記いずれかの態様において、前記表示手段と、前記選択手段と、前記判定手段と、前記記録手段と、をプログラムが実行し、そのプログラムは、前記記録手段が前記保留広告を前記広告記憶手段に記憶させたとき又はそれ以前に、そのプログラムが終了されても存続する処理プロセスであって前記判定手段と、前記再表示手段と、前記実行手段と、を実現する処理プロセスを生成することを特徴とする。
【００１１】
本発明の他の態様（３）は、上記いずれかの態様における携帯端末であって、共通のサーバから前記広告を受信するプログラムであって、前記表示手段と、前記選択手段と、前記判定手段と、前記記録手段と、をそれぞれ実現する第１のプログラム及び第２のプログラムを備え、前記第１のプログラムが実現する前記表示手段は、前記サーバから前記広告を受信して第１のプログラムの前記表示画面に表示し、前記第２のプログラムの前記再表示手段は、第２のプログラムの表示画面に前記保留広告を再表示することを特徴とする。
【００１２】
本発明の他の態様（４）は、上記いずれかの態様において、前記再表示された広告に基づく処理として、その広告に設定されているＵＲＬに基づくウェブページ表示と、前記ウェブページ表示とは異なる他の処理と、の選択を受け付ける処理選択手段を備え、前記実行手段は、再表示された広告に対して前記処理選択手段により選択された処理を実行することを特徴とする。
【００１３】
本発明の他の態様（５）は、上記いずれかの態様において、前記保留広告の表示態様を、保留広告として記憶される前の表示態様とは異なる表示態様に変更する手段と、前記保留広告について前記オンラインになる前に前記選択操作が再度あったときはその保留広告としての記憶をキャンセルすることを特徴とする。
【発明の効果】
【００１４】
本発明によれば、オフライン時に選択操作された広告に対応する処理を実行することが可能となる。
【図面の簡単な説明】
【００１５】
【図１】本発明の実施形態について構成を示す機能ブロック図。
【図２】本発明の実施形態における情報（データ）を例示する図。
【図３】本発明の実施形態における処理手順を示すフローチャート。
【図４】本発明の実施形態における画面表示例を示す図。
【図５】本発明の実施形態における画面表示例を示す図。
【発明を実施するための形態】
【００１６】
次に、本発明を実施するための形態（「実施形態」と呼ぶ）について図に沿って例示する。なお、背景技術や課題などで既に述べた内容と共通の前提事項は適宜省略する。
【００１７】
〔１．構成〕
本実施形態は、図１の構成図に例示するような携帯端末１に関する。この携帯端末１は、オフラインで選択操作された広告をエラーにすることなく、保留広告として記憶し、オンライン時に保留広告を再表示し、再度の選択操作を待ってその広告に対応する処理を実行するものである。
【００１８】
携帯端末１は、スマートフォン、携帯電話端末など、コンピュータを備えたモバイル情報端末で、ゲームソフトやウェブブラウザなどのコンピュータプログラムであるアプリＡ（Ａ１、Ａ２）と、プログラムを実行する基本ソフトウェア等の実行手段９と、を備える。アプリＡは、２つに限らずいくつもでよく、プリインストールでもよいし、携帯端末１を入手後にユーザがダウンロード等によりインストールしてもよい。
【００１９】
これらアプリを実行する携帯端末１は、コンピュータの構成として少なくとも、ＣＰＵなどの演算制御部６と、主メモリや補助記憶装置（例えばフラッシュメモリ他）等の記憶装置７と、通信ネットワークＮ（例えば、携帯電話、ＰＨＳ、公衆無線ＬＡＮなどの各種無線通信網、インターネットなど）との通信手段８（例えば、無線通信網との通信回路、無線ＬＡＮアダプタなど）と、を有する。
【００２０】
また、携帯端末１は、上記のようなコンピュータの構成に加え、内蔵の充電池（バッテリー）の充放電を制御する充電池制御部３と、発呼や着呼のほか図示しない受話用スピーカや送話用マイクロホンなどの制御も行う通話制御部４と、ＧＰＳ衛星電波の受信や現在位置の航法計算などを行うＧＰＳ部５と、を備える。また、携帯端末１は、タッチパネル機能付きの液晶や有機ＥＬを用いた入出力手段である表示画面Ｇを備える。
【００２１】
携帯端末１では、アプリＡ（Ａ１、Ａ２）及びこれらのアプリＡが生成する処理プロセスＰを演算制御部６が実行することで、図１に示す各手段などの要素（１０、２０、３０ほか）を実現する。実現される要素のうち情報の記憶手段の態様は自由で、記憶装置７上のファイルなど任意のデータ形式で実現できるほか、ネットワーク・コンピューティング（クラウド）によるリモート記憶などでもよい。
【００２２】
図２は、広告記憶手段４５の内容の一例で（後述）、広告記憶手段４５は、常駐することとなる処理プロセスＰ内の記憶領域に設けてもよいし、処理プロセスＰに属する要素（図１）に限らず、アプリＡ（Ａ１、Ａ２）や処理プロセスＰから共通してアクセスできるが、アプリＡにも処理プロセスＰにも属しないローカルのファイルやフォルダなど、携帯端末１上の記憶領域に設けてもよい。
【００２３】
また、記憶手段は、データの格納領域だけでなく、データの入出力や管理などの機能を含んでもよい。また、本出願に示す記憶手段の単位は説明上の便宜によるもので、適宜、構成を分けたり一体化できるほか、明示する記憶手段以外にも、各手段の処理データや処理結果などを記憶する記憶手段を適宜用いるものとする。
【００２４】
なお、図中（例えば図１）の矢印は、データや制御などの流れについて主要な方向を補助的に示すもので、他の流れを否定するものでも、方向の限定を意味するものでもない。例えばある方向のデータ取得の前後に、データ要求や確認応答（ＡＣＫ）が逆方向に発生し得る。
【００２５】
また、記憶手段以外の各手段は、以下に説明するような情報処理の機能・作用（例えば図１）を実現・実行する処理手段であるが、これらは説明のために整理した機能単位であり、実際のハードウェア要素やソフトウェアモジュールとの一致は問わない。
【００２６】
〔２．作用〕
上記のように構成された携帯端末１は、以下のように作用する。
〔２−１．別のアプリでの再表示〕
ここで、前提として、本実施形態では、あるアプリでオフライン時に選択操作（以下、代表例として「タップ」とも表す）した広告を、その同じアプリでも別のアプリでも再表示できる。
【００２７】
具体的には後述するが、本実施形態における携帯端末１は、共通の広告サーバＳからそれぞれ広告を受信する第１のプログラムであるアプリＡ１と、第２のプログラムであるアプリＡ２を備える。そして、アプリＡ（Ａ１及びＡ２）の一方（例えばＡ１）で保留した広告を、オンライン時に、同じアプリＡ１を実行中ならそのアプリＡ１の所定ページに再表示できるし、また、また他方のアプリＡ２を実行中ならそのアプリＡ２の所定ページでも再表示できる。
【００２８】
アプリＡ１で保留した広告をアプリＡ２で再表示する場合、アプリＡ１の表示手段１０は、広告サーバＳからその広告を受信してアプリＡ１の表示画面Ｇに表示し、その広告がオフライン時にタップされて保留広告となった後、ユーザがアプリＡ１を閉じてアプリＡ２の使用を開始した場合でも、再表示手段５０がアプリＡ２の表示画面Ｇに保留広告を再表示する。
【００２９】
このように広告を保留にする操作を行ったアプリと異なるアプリでその広告を再表示するための広告データ（画像など）は、再表示する方のアプリで広告サーバＳから独自に再ダウンロードしてもよいし、携帯端末１内のアプリ間で、ローカルのファイルやフォルダ、プロセス間メッセージなど適宜な手段で受渡してもよい。
【００３０】
また、広告記憶手段４５を、保留広告を特定するインデックスとなる情報（例えば広告ＩＤ）を記録しておく手段としてだけでなく、上記のような広告データを格納してアプリ間での受渡しに用いてもよい。
【００３１】
〔２−２．処理プロセスによる実現〕
続いて、上記のように作用する本発明に特に関連する携帯端末１の動作を図３のフローチャートに示す。まず、上記のように保留広告をアプリＡ１でもＡ２でも再表示可能とするため、各アプリＡは、初回実行時に、保留広告用の処理プロセスＰ（図１）を生成する（ステップＳ１１）。
【００３２】
処理プロセスＰは、各アプリＡが終了されても存続する処理プロセスＰであって、後述するように機能する判定手段３０と、再表示手段５０と、実行手段６０と、処理選択手段７０と、を少なくとも実現することで保留広告を処理するものである。
【００３３】
そして、この処理プロセスＰが、後述するように、保留広告を記録するとともに（ステップＳ２６）、広告に対するタップを受け付けた元のアプリＡが終了されてもその保留広告を再表示して（ステップＳ１６）タップを受け付ける（ステップＳ１７）。
【００３４】
このため、生成した処理プロセスＰが正常に実行されていることを、アプリが２回目以降の起動時も確認し（ステップＳ１１）、実行されていなければ再度生成する（ステップＳ１１）。各アプリＡは、後述するように機能する表示手段１０と、選択手段２０と、判定手段３０と、記録手段４０と、を備えるほか、ウェブページ、ニュース記事、ゲームなど本来のコンテンツを表示手段１０に表示させるための必要な通信や画面レンダリングなどの情報処理を行う図示しない処理手段を備える。
【００３５】
処理プロセスＰを生成するタイミングは、アプリＡの初回起動時に限られず、例えば、記録手段４０が保留広告を広告記憶手段４５に記憶させたときなどでもよい。本実施形態では、アプリＡ１とＡ２は共通して単一の処理プロセスＰを生成もしくは確認し保留広告を処理させる。
【００３６】
〔２−３．動作の例〕
起動されたアプリＡでは、処理プロセスＰの生成又は確認に続き、アプリの設定やユーザの操作などに基づき、表示手段１０が、図４に例示するように、アプリの用途に応じたウェブページやゲーム画面などのコンテンツＣと（ステップＳ１２）、通信を要する予め定められた処理が対応付けられた広告Ｄと（ステップＳ２０）、を表示画面Ｇに表示する。
【００３７】
広告としては、画像などを用いた、いわゆるバナー広告やディスプレイ広告を想定するが、それ以外の例えば文字広告などでもよい。また、広告は、画面の一部を占めるものに限らずコンテンツ表示の合間に画面全面を占める広告でもよい。表示するコンテンツ（ステップＳ１２）が、スタンドアロン動作のゲームなど通信を要しない内容の場合、広告のデータについては、広告を配信する広告サーバＳからオンラインのときにダウンロードしておくことにより、オンラインかオフラインかを問わず広告を表示する（ステップＳ２０）。
【００３８】
表示するコンテンツ（ステップＳ１２）が、ウェブページなど通信を要する内容の場合、ユーザは、アプリＡの起動やページ表示操作については携帯端末１の電波表示などでオンラインであることを確認のうえ行う。ページを表示しようとしたときオフラインであった場合は（ステップＳ１３：「ＮＯ」）、最後にオンラインであったときに表示していたコンテンツや広告を表示する（ステップＳ１２、Ｓ２０）。
【００３９】
そして、選択手段２０が、表示している広告Ｄへの指Ｆなどによるタップ（例えば図４）を受け付けると（ステップＳ２１：「ＹＥＳ」）、判定手段３０は、通信がオンラインかオフラインかを判定する（ステップＳ２２）。
【００４０】
オンラインの場合（ステップＳ２２：「ＹＥＳ」）、実行手段６０が、その広告に基づく予め定められた処理（例えば、リンク先へのジャンプやアプリのダウンロードなど。以下「所定処理」と呼ぶこととする）を実行する（ステップＳ２３）。
【００４１】
記録手段４０は、タップが受け付けられたときに（ステップＳ２１：「ＹＥＳ」）オフラインの場合は（ステップＳ２２：「ＮＯ」）、タップの対象となった広告を保留広告として広告記憶手段４５に記憶させる（ステップＳ２６）。図２の例では、保留広告の広告ＩＤと、アプリごとに、保留広告を再表示するものとして保留広告ごとに予め定められた表示画面（「再表示対象画面」とも呼ぶこととする）の情報と、が対応付けて記憶されている。
【００４２】
上記のように保留広告として記録された広告について、表示手段１０又は再表示手段５０は、保留とする前（例えば図４の広告Ｄ）の表示態様とは異なる表示態様（例えば図５の広告Ｄ２）に変更することで（ステップＳ２６）、ユーザがその広告が保留されていることを識別させられる。
【００４３】
また、保留広告に対して、オンラインになる前に（ステップＳ２２：「ＮＯ」）タップ操作が再度あったとき（ステップＳ２４：「ＹＥＳ」）、記録手段４０は、その保留広告としての記憶をキャンセルしその表示態様も元の表示態様（図４）に戻す（ステップＳ２５）。
【００４４】
そして、再表示手段５０は、オンラインになった場合に（ステップＳ１３：「ＹＥＳ」）、記憶されている保留広告があれば（ステップＳ１４：「ＹＥＳ」）、その保留広告を再表示対象画面に（ステップＳ１５：「ＹＥＳ」）再表示する（ステップＳ１６）。オフライン時にタップして広告を保留にさせてから、オンラインになって再表示されるまで、ユーザは、ゲームの他の面や他のウェブページなど、異なるページを表示していてよいし、他のアプリ（例えばＡ２）などを操作していてよい。
【００４５】
また、保留広告が存在するとき、アプリＡ１もＡ２も実行していない状態で、処理プロセスＰの判定手段３０がオンラインになったことを検出すれば（ステップＳ１３：「ＹＥＳ」）、アプリＡ１又はＡ２を起動して、再表示手段５０が保留広告を再表示（ステップＳ１６）するようにしてもよい。
【００４６】
そして、実行手段６０は、再表示された広告に対して再びタップが受け付けられると（ステップＳ１７：「ＹＥＳ」）、その広告に基づく所定処理を実行し（ステップＳ１８）、実行した処理に対応する保留広告を広告記憶手段４５から削除する（ステップＳ１９）。
【００４７】
この際、本実施形態では、広告に基づく処理を選択できる。すなわち、処理選択手段７０は、保留広告を再表示する際（ステップＳ１６）、再表示された広告に基づく処理として、その広告に設定されている処理の選択肢をリストなどで表示し（ステップＳ１６）、その選択を受け付ける（ステップＳ１７）。
【００４８】
この選択肢は、ＵＲＬに基づくウェブページ表示と、ウェブページ表示とは異なる他の処理（例えば、アプリのダウンロード、広告面積の拡大など）と、である。そして、実行手段６０は、再表示された広告について処理選択手段７０により選択された処理を実行する。処理は例えば、所定のサーバ（例えば図１のターゲットサーバＤ）の提供するウェブページへの遷移やアプリのダウンロードなどである。
【００４９】
〔３．効果〕
以上のように、本実施形態では、携帯端末１の画面Ｇに表示された広告Ｄが選択操作されたときに（例えば図４。図３のステップＳ２１：「ＹＥＳ」）電波通信圏外などでオフラインの場合（ステップＳ２２：「ＮＯ」）、その広告を保留された広告として記憶する（ステップＳ２６）。
【００５０】
そして、次にオンラインになると（ステップＳ１３：「ＹＥＳ」）保留された広告を再表示し（ステップＳ１６）、その広告に対する選択操作を待って（ステップＳ１７：「ＹＥＳ」）広告に基づく所定の処理を行う（ステップＳ１８）。これにより、オフライン時に選択操作された広告に対応する処理を実行できる。
【００５１】
特に、本実施形態では、保留広告をオンライン時に再表示し選択操作を受けて所定の処理を実行する機能（判定手段３０、再表示手段５０、実行手段６０、処理選択手段７０）を、プログラムであるアプリＡ（Ａ１、Ａ２）終了後も残存する処理プロセスＰとして生成する。
【００５２】
これにより、保留広告になった後（ステップＳ２６）、ユーザが別のプログラムを利用していても、オンラインになれば（ステップＳ１３：「ＹＥＳ」）、保留広告の再表示（ステップＳ１６）や広告に基づく処理（ステップＳ１８）を実行できるので、オフライン時に選択操作された広告に対応する処理を実行できる。
【００５３】
また、本実施形態では、保留広告の再表示を、オフライン時の選択操作が行われたのと同じプログラム（例えばアプリＡ１）に限らず、広告配信事業者などが共通する同じサーバ（例えば広告サーバＳ）から広告の配信を受ける別のプログラム（例えばアプリＡ２）でも行う。
【００５４】
これにより、例えば（図示省略）、あるゲームアプリＸの画面で保留されたゲームアプリＹの広告を、さらに別のゲームアプリＺの画面で表示するなど、ユーザへの強い印象付けや選択操作の促進が可能となる。
【００５５】
さらに、本実施形態では、オフライン時の選択操作（ステップＳ２１）に基づいてオンライン時に再表示された広告については、広告に基づく処理の選択を受け付けることにより（ステップＳ１６）、電波状況に応じてユーザが優先したい処理を選択できる。
【００５６】
加えて、本実施形態では、オフライン時の選択操作で保留された広告について、オンライン時の再表示以前は特定の表示態様で保留されていることを明示し（ステップＳ２６）、再表示の前に再度、選択操作があれば（ステップＳ２４：「ＹＥＳ」）、保留広告としての記憶をキャンセルする（ステップＳ２５）。
【００５７】
これにより、オフライン時の選択操作で一旦保留した広告についても、関心の程度などユーザの事情が変わった場合に簡易な操作でキャンセルできる。このため、使い勝手に優れ、またオフライン時の選択操作による保留を躊躇せず気軽に実施できる。
【００５８】
〔４．他の実施形態〕
なお、上記実施形態は例示に過ぎず、本発明は、以下に例示するものやそれ以外の他の実施態様も含むものである。例えば、本発明はスマートフォンや携帯電話端末に限らず、タブレットＰＣ、ノートパソコンなど他の種類の情報機器にも適用できる。また、ユーザが通信状態を把握できるように、オフラインであることを、所定の文字、図形、記号やその他のグラフィック表示などで画面表示してもよい。
【００５９】
また、アプリをユーザに推奨する広告の場合、広告の対象とするアプリがその携帯端末にインストール済みか否かを検出し、インストール済みの場合は表示対象を他の広告に切り替えてもよい。広告のタップ時や再表示後のタップ時にはオンラインだったが、広告に基づく処理の途中で再びオフラインになった場合、再表示前の状態に戻し、又は、処理の続きをオンラインになった後で続行してもよい。また、保留広告について、オンラインになった後の再表示の省略も考えられる。
【００６０】
また、本出願における構成図、データの図、フローチャートなども例示に過ぎず、各要素の有無、その配置や処理実行などの順序、具体的内容などは適宜変更可能である。例えば、本発明の機能を実現する態様は自由であり、一例として、本発明に関する一部の機能を処理プロセスＰとしてアプリＡと別に構成することは必須ではないし、さらに、アプリＡは複数でなく一つでもよい。
【００６１】
したがって、例えば、単一のアプリに必要な全機能を実装してもよいし、ウェブブラウザやその他のアプリの付加機能モジュールその他の任意の形態で本発明を実現してもよい。また、保留広告が記憶されている間、ホームボタン操作などで表示されるホーム画面上のアイコンを、保留広告に対応した意匠で表示すれば、広告の効果的な印象付けに加え、保留中であることを注意喚起できる。
【００６２】
また、本出願に示す各態様は、明記しない他のカテゴリ（方法、プログラム、端末を含むシステムなど）としても把握することができる。方法やプログラムのカテゴリについては、装置のカテゴリで示した「手段」を、「処理」や「ステップ」のように適宜読み替えるものとする。また、処理やステップの順序は、本出願に直接明記のものに限定されず、順序を変更したり、一部の処理をまとめてもしくは随時一部分ずつ実行するなど、変更可能である。
【００６３】
また、個々の手段、処理やステップを実現、実行する端末などのコンピュータは共通でもよいし、手段、処理やステップごとにもしくはタイミングごとに異なってもよい。例えば、本発明における携帯端末は、それぞれコンピュータを備えた複数のユニットを結合して一体に利用する情報機器でもよい。また、上記「手段」の全部又は任意の一部を「部」（ユニット、セクション、モジュール等）と読み替えることができる。
【００６４】
また、携帯端末１を構成する個々の手段を実現する態様は自由で、外部のサーバが提供している機能をＡＰＩ（アプリケーション・プログラム・インタフェース）やネットワーク・コンピューティング（いわゆるクラウドなど）で呼び出して実現するなど、本発明の構成は柔軟に変更できる。さらに、本発明に関する手段などの各要素は、コンピュータの演算制御部に限らず物理的な電子回路など他の情報処理機構で実現してもよい。
【符号の説明】
【００６５】
１  携帯端末
３  充電池制御部
４  通話制御部
５  ＧＰＳ部
６  演算制御部
７  記憶装置
８  通信手段
９  実行手段
１０  表示手段
２０  選択手段
３０  判定手段
４０  記録手段
４５  広告記憶手段
５０  再表示手段
６０  実行手段
７０  処理選択手段
Ａ（Ａ１、Ａ２）  アプリ
Ｄ  ターゲットサーバ
Ｇ  表示画面
Ｎ  通信ネットワーク
Ｐ  処理プロセス
Ｓ  広告サーバ
【図１】
0005480937.tif 000002
【図２】
0005480937.tif 000003
【図３】
0005480937.tif 000004
【図４】
0005480937.tif 000005
【図５】
0005480937.tif 000006